(57)【要約】  【課題】ディスクと外部装置間の複数の電気信号の送受信を可能としてディスク利用分野の拡張性を格段に改善する低コストで簡単な構成のディスクドライブ装置、ディスクドライブシステム並びにディスクを提供する。  【解決手段】複数の電子回路１０、１１が搭載されたディスク１００の、ディスクドライブ装置２００側の保持手段２１０、２６０により接触、保持される部位に電子回路１０、１１に電気的に接続された導電部２０、２１が形成され、保持時にディスク１００の導電部２０、２１と電気的に接続される導電部２１１、２１２が保持手段２１０、２６０の接触部に形成されて、ディスク１００側とディスクドライブ装置２００側間の信号送受信を行なう。ディスク１００の情報記憶領域部の接触、保持部以外の領域に電子回路１０、１１が形成される。【選択図】        図１４
2005222588.tif 000002
【特許請求の範囲】
【請求項１】
所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記クランパの、前記ディスクの複数の導電部とそれぞれ対応する部位に複数の導電部が設けられていることを特徴とするディスクドライブ装置。
【請求項２】
所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記ターンテーブルの、前記ディスクの複数の導電部にそれぞれ対応する部位に複数の導電部が設けられていることを特徴とするディスクドライブ装置。
【請求項３】
所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記クランパの、前記ディスクの複数の導電部にそれぞれ対応する部位に導電部、及び前記ターンテーブルの、前記ディスクの導電部に対応する部位に複数の導電部が設けられていることを特徴とするディスクドライブ装置。
【請求項４】
前記クランパ又は前記ターンテーブルの一つの導電部は離隔された複数個の導電部で形成されていることを特徴とする請求項１乃至３のいずれかに記載のディスクドライブ装置。
【請求項５】
前記クランパ又は前記ターンテーブルの複数の導電部のそれぞれは、内部の電気回路側に電気的に接続されていることを特徴とする請求項１乃至３のいずれかに記載のディスクドライブ装置。
【請求項６】
前記クランパ又は前記ターンテーブルの複数の導電部は、内部の電気回路側に電磁波的に接続されていることを特徴とする請求項１乃至３のいずれかに記載のディスクドライブ装置。
【請求項７】
前記クランパ又は前記ターンテーブルの複数の導電部は、内部の電気回路側に光学的に接続されていることを特徴とする請求項１乃至３のいずれかに記載のディスクドライブ装置。
【請求項８】
前記クランパ又は前記ターンテーブルの前記導電部の表面は、凹凸状に形成されていることを特徴とする請求項１乃至７のいずれかに記載のディスクドライブ装置。
【請求項９】
前記クランパ又は前記ターンテーブルの前記導電部の表面は、弾性材を有することを特徴とする請求項１乃至８のいずれかに記載のディスクドライブ装置。
【請求項１０】
ディスクドライブ側の保持手段により接触保持され、所定の信号処理を実行する複数の電子回路又何らかの電子的情報の生成、書き込み又は保存機能を有する複数の電子的機能部が搭載され、前記複数の電子回路又は電子的機能部にそれぞれ電気的に接続された複数の導電部、又は前記複数の電子回路又は電子的機能部の複数の導電部が前記ディスクの前記保持手段の接触保持部位に形成されたディスクが、前記保持手段とともに一体的に回転され、前記ディスクに対してデータの読み出し又は書き込みを行なうディスクドライブ装置であって、
前記保持手段による前記ディスクの保持時に、前記ディスクの前記複数の導電部とそれぞれ電気的に接続される複数の導電部が前記保持手段に設けられ、
前記ディスク側の前記電子回路又は電子的機能部と前記ディスクドライブ側間の信号の送受信を前記ディスク側と前記ディスクドライブ側の導電部を介して行なうことを特徴とするディスクドライブ装置。
【請求項１１】
ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記複数の電子回路又は電子的機能部に電気的に接続された複数の導電部、又は前記複数の電子回路又は／及び電子的機能部の複数の導電部が前記ディスクの前記クランプ部位に形成されたディスクが一体的に回転され、前記ディスクに対してデータの読み出し又は書き込みを行なうディスクドライブ装置であって、
前記クランプ時に前記ディスクの複数の導電部とそれぞれ電気的に接続される複数の導電部が前記ターンテーブルに形成され、
前記ディスク側の前記電子回路又は電子的機能部と前記ディスクドライブ側間の信号の送受信を前記ディスク側と前記ディスクドライブ側の導電部を介して行なうことを特徴とするディスクドライブ装置。
【請求項１２】
ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記複数の電子回路又は電子的機能部にそれぞれ電気的に接続された複数の導電部、又は前記複数の電子回路又は電子的機能部の複数の導電部が前記ディスクの前記クランプ部位に形成されたディスクが一体的に回転され、前記ディスクに対してデータの読み出し又は書き込みを行なうディスクドライブ装置であって、
前記クランプ時に、前記ディスクの複数の導電部とそれぞれ電気的に接続される複数の導電部が前記クランパに形成され、
前記ディスク側の前記電子回路又は電子的機能部と前記ディスクドライブ側間の信号の送受信を前記ディスク側と前記ディスクドライブ側の導電部を介して行なうことを特徴とするディスクドライブ装置。
【請求項１３】
前記ディスクドライブ側の導電部と内部の電気回路との送受信は、各導電部に接続されている電気信号から光学信号への又は光学信号から電気信号への変換を行なう光学／電気変換手段により行なうことを特徴とする請求項１０乃至１２のいずれかに記載のディスクドライブ装置。
【請求項１４】
前記ディスクドライブ側の導電部と内部の電気回路との送受信は、各導電部に接続されている電波送信／受信手段により行なうことを特徴とする請求項１０乃至１２のいずれかに記載のディスクドライブ装置。
【請求項１５】
前記光学／電気変換手段又は前記の電波送信／受信手段は、離隔対向位置に設けられていることを特徴とする請求項１３又は１４に記載のディスクドライブ装置。
【請求項１６】
前記光学／電気変換手段又は前記電波送信／受信手段は、前記ディスクの回転軸の略中心位置に対向配設されていることを特徴とする請求項１３又は１４に記載のディスクドライブ装置。
【請求項１７】
前記一つの導電部は、離隔された複数個の導電部で形成されていることを特徴とする請求項１０乃至１６のいずれかに記載のディスクドライブ装置。
【請求項１８】
前記ディスクは、情報を記憶する情報記憶部と、前記電子回路の動作を規定するプログラムが記憶されているプログラム記憶部とを有することを特徴とする請求項１０乃至１７のいずれかに記載のディスクドライブ装置。
【請求項１９】
前記ディスクは光ディスクであることを特徴とする請求項１乃至１８のいずれかに記載のディスクドライブ装置。
【請求項２０】
情報記憶領域が形成されている面と反対面に複数の電子回路又は電子的機能部が搭載されているディスクを接触保持して回転させ、
前記接触保持時に、前記反対面に形成されている前記複数の電子回路又は電子的機能部に接続されている導電部に接触する部位に前記複数の電子回路又は電子的機能部との信号送受信のための導電部が形成されていることを特徴とするディスクドライブ装置。
【請求項２１】
それぞれが電気的に分離された複数の導電部が形成されたディスクをディスクドライブ装置側の保持手段により接触保持し、
前記接触保持時に、前記ディスクドライブ装置側の前記ディスクとの接触面に、前記ディスクの前記複数の導電部のそれぞれに対応して電気的に接触する複数の導電部を形成し、
前記ディスクドライブ装置側と前記ディスクの前記複数の導電部間のそれぞれを介して前記ディスクドライブ装置側と前記ディスク間での信号の送受信を行なうことを特徴とするディスクドライブシステム。
【請求項２２】
所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをディスクドライブ装置側の保持手段により接触保持し、前記接触保持時に、前記ディスクドライブ装置側の前記接触面に、前記ディスクの前記複数の導電部のそれぞれに対応して電気的に接触する複数の導電部を形成し、
前記ディスクドライブ装置側と前記ディスクの前記導電部間のそれぞれを介して前記ディスクドライブ装置側と前記ディスク間での信号の送受信を行なうことを特徴とするディスクドライブシステム。
【請求項２３】
所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ディスクの複数の導電部と対応する部位に複数の導電部が設けられているクランパによりクランプして回転駆動させ、前記ディスクドライブ装置側と前記ディスクの前記導電部間のそれぞれを介して前記ディスクドライブ装置側と前記ディスク間での信号の送受信を行なうことを特徴とするディスクドライブシステム。
【請求項２４】
所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ターンテーブル上に前記ディスクの複数の導電部と対応する部位に複数の導電部が設けられ、クランパにより前記ディスクをクランプして回転駆動させ、前記ディスクドライブ装置側と前記ディスクの前記導電部間のそれぞれを介して前記ディスクドライブ装置側と前記ディスク間での信号の送受信を行なうことを特徴とするディスクドライブシステム。
【請求項２５】
所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ターンテーブル上に前記ディスクの複数の導電部と対応する部位に複数の導電部が設けられ、前記ディスクの複数の導電部と対応する部位に複数の導電部が設けられているクランパにより前記ディスクをクランプして回転駆動させ、前記ディスクドライブ装置側と前記ディスクの前記導電部間のそれぞれを介して前記ディスクドライブ装置側と前記ディスク間で信号の送受信を行なうことを特徴とするディスクドライブシステム。
【請求項２６】
ディスクドライブ側の保持手段により接触保持されるディスクに、所定の信号処理を実行する複数の電子回路又は何らかの電子的情報の生成、書き込み又は保存機能を有する複数の電子的機能部が搭載され、前記複数の電子回路又は複数の電子的機能部にそれぞれ電気的に接続された複数の導電部、又は前記複数の電子回路又は複数の電子的機能部に電気的に接続された複数の導電部が前記ディスクの前記保持手段の接触保持部位に形成され、
前記ディスクドライブ側の保持手段には、前記ディスクの保持時に、前記ディスクの前記複数の導電部とそれぞれ電気的に接続される複数の導電部が設けられ、  
前記保持手段によりディスクが保持され、一体的に回転され、前記ディスク側と前記ディスクドライブ側の導電部間で信号の送受信を行なうことを特徴とするディスクドライブシステム。
【請求項２７】
ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記ターンテーブルには前記クランプ時に前記ディスクの導電部と電気的に接続される複数の導電部が形成され、前記複数の電子回路又は電子的機能部に電気的に接続された導電部、又は前記複数の電子回路又は電子的機能部の導電部が前記ディスクの前記クランプ部位に形成されたディスクが一体的に回転され、前記ディスク側と前記ディスクドライブ側の導電部間で信号の送受信を行なうことを特徴とするディスクドライブシステム。
【請求項２８】
ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記クランパには前記クランプ時に、前記ディスクの複数の導電部と電気的に接続される複数の導電部が形成され、前記複数の電子回路又は電子的機能部に電気的に接続された複数の導電部、又は前記複数の電子回路又は電子的機能部の導電部が前記ディスクの前記クランプ部位に形成されたディスクが一体的に回転され、前記ディスク側と前記ディスクドライブ側の導電部間で信号の送受信を行なうことを特徴とするディスクドライブシステム。
【請求項２９】
情報記憶領域が形成されている面と反対面に複数の電子回路又は電子的機能部が搭載されているディスクを接触保持して回転させ、前記接触保持時に、前記反対面に形成されている前記複数の電子回路又は電子的機能部に接続されている導電部に接触する部位に前記複数の電子回路又は電子的機能部との信号送受信のための導電部が形成され、前記ディスク側と前記ディスクドライブ側の導電部間で信号の送受信を行なうことを特徴とするディスクドライブシステム。
【請求項３０】
前記ディスク及びディスクドライブ装置側に形成される導電部は、略同心状且つ円環状に径方向に電気的に分離された状態で形成されていることを特徴とする請求項２１乃至２９のいずれかに記載のディスクドライブシステム。
【請求項３１】
前記円環状の導電部は、周方向の一部が不存在であることを特徴とする請求項３０に記載のディスクドライブシステム。
【請求項３２】
前記ディスクに形成されている複数の導電部は、前記ディスクに搭載されている電子回路又は／及びバッテリに接続されていることを特徴とする請求項２１乃至３１のいずれかに記載のディスクドライブシステム。
【請求項３３】
前記ディスク回転の停止時に前記ディスクとディスクドライブ装置の導電部が接触保持されることを特徴とする請求項２１乃至３２のいずれかに記載のディスクドライブシステム。
【請求項３４】
前記ディスクに形成されている一つの導電部は、前記バッテリに接続されていることを特徴とする請求項３２に記載のディスクドライブシステム。
【請求項３５】
前記ディスク及びディスクドライブ装置に形成する導電部のそれぞれは、対応する導電部間のみが接触するような寸法、形状に設定されていることを特徴とする請求項２１乃至３４のいずれかに記載のディスクドライブシステム。
【請求項３６】
前記ディスクの径方向に離隔形成されている複数の導電部のうち、一つの導電部の電気的接続部は、他の導電部の上部に絶縁配設されていることを特徴とする請求項３０又は３１に記載のディスクドライブシステム。
【請求項３７】
前記ディスクに形成されている径方向に形成されている複数の導電部のうち、一つの導電部の電気的接続部は、他の導電部の導電部一部径方向不存在部に配設されていることを特徴とする請求項３０又は３１に記載のディスクドライブシステム。
【請求項３８】
前記一つの導電部の電気的接続部の上部は絶縁膜で被覆されていることを特徴とする請求項３６又は３７に記載のディスクドライブシステム。
【請求項３９】
前記ディスクの導電部は、前記情報記憶領域面と反対面に形成されていることを特徴とする請求項２１乃至３８のいずれかに記載のディスクドライブシステム。
【請求項４０】
情報記憶領域が形成されている面と反対面に電子回路又は電子的機能部が搭載されているディスクを接触保持して回転させ、
前記接触保持時に、前記反対面に形成されている電子回路又は電子的機能部に接続されている導電部に接触する部位に導電部が形成されていることを特徴とするディスクドライブシステム。
【請求項４１】
情報記憶領域を有するディスクドライブ側の保持手段により接触保持され、一体的に回転されるディスクであって、
所定の信号処理を実行する複数の電子回路又は何らかの電子的情報の生成、書き込み又は保存機能を有する複数の電子的機能部が搭載されるとともに、前記複数の電子回路にそれぞれ電気的に接続された複数の導電部、又は前記複数の電子回路の複数の導電部が前記保持手段の接触保持部に形成されていることを特徴とするディスク。
【請求項４２】
ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記クランプされる部位に、前記複数の電子回路又は電子的機能部にそれぞれ電気的に接続された複数の導電部が形成されて成ることを特徴とするディスク。
【請求項４３】
ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記ターンテーブルと接触する部位に、前記複数の電子回路にそれぞれ電気的に接続された複数の導電部が形成されて成ることを特徴とするディスク。
【請求項４４】
ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記クランプされている部位及び前記ターンテーブルと接触する部位に、前記複数の電子回路又は電子的機能部にそれぞれ電気的に接続された複数の導電部が形成されて成ることを特徴とするディスク。
【請求項４５】
前記複数の導電部は、略同心状且つ円環状に径方向に電気的に分離された状態で形成されていることを特徴とする請求項４１乃至４４のいずれかに記載のディスク。
【請求項４６】
前記複数の導電部は、略同心状且つ円環状に径方向に電気的に分離され、周方向の一部不存在部として形成されていることを特徴とする請求項４１乃至４４のいずれかに記載のディスク。
【請求項４７】
前記ディスクに形成されている複数の導電部の一つは、電子回路又はバッテリに接続されていることを特徴とする請求項４１乃至４５６いずれかに記載のディスク。
【請求項４８】
前記ディスクに形成されている一つの導電部は、前記バッテリに接続されていることを特徴とする請求項４７のいずれかに記載のディスク。
【請求項４９】
前記ディスクの径方向に離隔形成されている複数の導電部のうち、一つの導電部の電気的接続部は、他の導電部の上部に絶縁配設されていることを特徴とする請求項４５又は４６に記載のディスクドライブシステム。
【請求項５０】
前記ディスクに形成されている径方向に形成されている複数の導電部のうち、一つの導電部の電気的接続部は、他の導電部の導電部一部径方向不存在部に配設されていることを特徴とする請求項４５又は４６に記載のディスクドライブシステム。
【請求項５１】
前記一つの導電部の電気的接続部の上部は絶縁膜で被覆されていることを特徴とする請求項４５又は４６に記載のディスクドライブシステム。
【請求項５２】
前記接触保持部以外の領域に前記電子回路又は電子的機能部が形成されていることを特徴とする請求項４１乃至５１のいずれかに記載のディスク。
【請求項５３】
前記情報記憶領域部の内側領域で前記保持接触部以外の領域に前記電子回路又は電子的機能部が形成されていることを特徴とする請求項４１乃至５２のいずれかに記載のディスク。
【請求項５４】
前記情報記憶領域部の外側領域で前記情報記憶領域部以外の領域に前記電子回路又は電子的機能部が形成されていることを特徴とする請求項４１乃至５３のいずれかに記載のディスク。
【請求項５５】
前記ディスクは、前記電子回路又は電子的機能部の動作を規定するプログラムが記憶されているプログラム記憶部を有することを特徴とする請求項４１乃至５４のいずれかに記載のディスクドライブ装置。
【請求項５６】
前記導電部の表面は凹凸状に形成されていることを特徴とする請求項４１乃至５５のいずれかに記載のディスク。
【請求項５７】
前記導電部は弾性材を含むことを特徴とする請求項４１乃至５６のいずれかに記載のディスク。
【請求項５８】
前記一つの導電部は離隔された複数個の導電部で形成されていることを特徴とする請求項４１乃至５７のいずれかに記載のディスク。
【請求項５９】
前記導電部は、前記情報記憶領域面と同一の面に形成されていることを特徴とする請求項４１乃至５８のいずれかに記載のディスク。
【請求項６０】
前記導電部は、前記情報記憶領域面と反対面に形成されていることを特徴とする請求項４１乃至５９のいずれかに記載のディスク。
【請求項６１】
前記導電部は、前記ディスク表面に薄膜形成されていることを特徴とする請求項４１乃至６０のいずれかに記載のディスク。
【請求項６２】
前記導電部は、透明材で形成されていることを特徴とする請求項４１乃至６１のいずれかに記載のディスク。
【請求項６３】
前記ディスクは光ディスクであることを特徴とする請求項４１乃至６２のいずれかに記載のディスク。
【発明の詳細な説明】
【技術分野】
【０００１】
本発明はディスクドライブ装置、ディスクドライブシステム並びにディスクに関し、特に、ディスクとドライブ装置間での信号の送受信を簡単な構成で行なうディスクドライブ装置、ドライブシステム並びにディスクに関する。
【背景技術】
【０００２】
光ディスクは、主にポリカーボネート等の樹脂のようなきわめて廉価な素材で構成されるにもかかわらず記憶できるデータ量が非常に多く、コストパフォーマンス面できわめて有利であるため、将来の記憶媒体として最も有望である。
【０００３】
光ディスクに記憶されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。
【０００４】
【特許文献１】特開平１１−３５３７４９（〔００２４〕図１）
【特許文献２】特開２０００−１０００３１（〔００１３〕〜〔００１５〕図３）
【特許文献３】特開２０００−１０００３２（〔００１２〕〜〔００１７〕図１）
【０００５】
ところで、最近、光ディスク上に記憶領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送受信は簡単には行なえない。
【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行なうものである。
【０００７】
また、光ディスク側とディスクドライブ側にそれぞれ発光／受光回路を形成しておき、この発光／受光回路を介しての光信号の送受信を行なう構成も考えられている。
【０００８】
更には、当該電子回路と、ディスクドライブ装置側の内部回路との間の信号送受信を、ディスクドライブ装置による回転を停止させた状態で行う構成も提案されている（特許文献４参照）。
【特許文献４】米国特許第５，１１９，３５３号（Ｆｉｇ．２  第４、５欄）
【発明の開示】
【発明が解決しようとする課題】
【０００９】
上述のように、従来は、ディスク表面に搭載されている電子回路とディスクドライブ装置の内部回路間の信号の送受信は、ディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。
【００１０】
また、ディスク側とディスクドライブ装置側に形成した発光／受光回路を介しての光信号の送受信を行なう構成においては、各ディスク毎に光／電気信号の変換回路を形成しなければならず、同様にコストが最大の優位性をもつ特徴である光ディスクにとって問題が大きい。
【００１１】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムでの信号処理は不可能である。
【００１２】
ところで、ディスク上に搭載される電子回路は一つに限らず、複数個搭載する場合が想定される。また、当該電子回路に外部から電源を供給する場合も想定されるが、従来技術では、かかる想定におけるディスクとディスクドライブ装置側との信号の送受信に対応することができない。
【００１３】
そこで、本発明の目的は、低コスト、簡単な構成でディスク側とディスクドライブ装置側間で信号の送受信を可能とするディスクドライブ装置、ドライブシステム並びにディスクを提供することにある。
【００１４】
本発明の他の目的は、ディスクと外部装置間の電気信号の送受信を可能としてディスク利用分野の拡張性を格段に改善する低コストで簡単な構成のディスクドライブ装置、ドライブシステム並びにディスクを提供することにある。
【００１５】
本発明の更に他の目的は、低コスト、簡単な構成でディスク側とディスクドライブ装置側間で複数信号の送受信を可能とするディスクドライブ装置、ドライブシステム並びにディスクを提供することにある。
【００１６】
なお、“送受信”とは、“送信”、“受信”、“送信及び受信”等のすべての電気的情報、信号、電力等のやりとりの態様を含み、また、“又は”は必ずしも２者択一を意味するものではなく、技術的には両者が並存する“及び”の意味をも含むものであり、特許請求の範囲を含め本明細書では、そのような意味で使用されている。
【課題を解決するための手段】
【００１７】
前述の課題を解決するため、本発明によるディスクドライブ装置、ディスクドライブシステム並びにディスクは、次のような特徴的な構成を採用している。
【００１８】
（１）所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記クランパの、前記ディスクの複数の導電部とそれぞれ対応する部位に複数の導電部が設けられているディスクドライブ装置。
【００１９】
（２）所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記ターンテーブルの、前記ディスクの複数の導電部にそれぞれ対応する部位に複数の導電部が設けられているディスクドライブ装置。
【００２０】
（３）所定の信号処理を実行する複数の電子回路又は何らかの電子的情報の生成、書き込み又は保存機能を有する複数の電子的機能部、及び前記電子回路又は電子的機能部にそれぞれ電気的に接続された複数の導電部を有するディスクをターンテーブル上に載置し、クランパによりクランプして回転駆動させることにより前記ディスクに対する情報の読み込み又は書き込みを行なうように構成され、
前記クランパの、前記ディスクの複数の導電部にそれぞれ対応する部位に導電部、及び前記ターンテーブルの、前記ディスクの導電部に対応する部位に複数の導電部が設けられているディスクドライブ装置。
【００２１】
（４）前記クランパ又は前記ターンテーブルの一つの導電部は離隔された複数個の導電部で形成されている（１）乃至（３）のいずれかのディスクドライブ装置。
【００２２】
（５）前記クランパ又は前記ターンテーブルの複数の導電部のそれぞれは、内部の電気回路側に電気的に接続されている（１）乃至（３）のいずれかのディスクドライブ装置。
【００２３】
（６）前記クランパ又は前記ターンテーブルの複数の導電部は、内部の電気回路側に電磁波的に接続されている（１）乃至（３）のいずれかのディスクドライブ装置。
【００２４】
（７）前記クランパ又は前記ターンテーブルの複数の導電部は、内部の電気回路側に光学的に接続されている（１）乃至（３）のいずれかのディスクドライブ装置。
【００２５】
（８）前記クランパ又は前記ターンテーブルの前記導電部の表面は、凹凸状に形成されている（１）乃至（７）のいずれかのディスクドライブ装置。
【００２６】
（９）前記クランパ又は前記ターンテーブルの前記導電部の表面は、弾性材を有する（１）乃至（８）のいずれかのディスクドライブ装置。
【００２７】
（１０）ディスクドライブ側の保持手段により接触保持され、所定の信号処理を実行する複数の電子回路又何らかの電子的情報の生成、書き込み又は保存機能を有する複数の電子的機能部が搭載され、前記複数の電子回路又は電子的機能部にそれぞれ電気的に接続された複数の導電部、又は前記複数の電子回路又は電子的機能部の複数の導電部が前記ディスクの前記保持手段の接触保持部位に形成されたディスクが、前記保持手段とともに一体的に回転され、前記ディスクに対してデータの読み出し又は書き込みを行なうディスクドライブ装置であって、
前記保持手段による前記ディスクの保持時に、前記ディスクの前記複数の導電部とそれぞれ電気的に接続される複数の導電部が前記保持手段に設けられ、
前記ディスク側の前記電子回路又は電子的機能部と前記ディスクドライブ側間の信号の送受信を前記ディスク側と前記ディスクドライブ側の導電部を介して行なうディスクドライブ装置。
【００２８】
（１１）ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記複数の電子回路又は電子的機能部に電気的に接続された複数の導電部、又は前記複数の電子回路又は／及び電子的機能部の複数の導電部が前記ディスクの前記クランプ部位に形成されたディスクが一体的に回転され、前記ディスクに対してデータの読み出し又は書き込みを行なうディスクドライブ装置であって、
前記クランプ時に前記ディスクの複数の導電部とそれぞれ電気的に接続される複数の導電部が前記ターンテーブルに形成され、
前記ディスク側の前記電子回路又は電子的機能部と前記ディスクドライブ側間の信号の送受信を前記ディスク側と前記ディスクドライブ側の導電部を介して行なうディスクドライブ装置。
【００２９】
（１２）ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記複数の電子回路又は電子的機能部にそれぞれ電気的に接続された複数の導電部、又は前記複数の電子回路又は電子的機能部の複数の導電部が前記ディスクの前記クランプ部位に形成されたディスクが一体的に回転され、前記ディスクに対してデータの読み出し又は書き込みを行なうディスクドライブ装置であって、
前記クランプ時に、前記ディスクの複数の導電部とそれぞれ電気的に接続される複数の導電部が前記クランパに形成され、
前記ディスク側の前記電子回路又は電子的機能部と前記ディスクドライブ側間の信号の送受信を前記ディスク側と前記ディスクドライブ側の導電部を介して行なうディスクドライブ装置。
【００３０】
（１３）前記ディスクドライブ側の導電部と内部の電気回路との送受信は、各導電部に接続されている電気信号から光学信号への又は光学信号から電気信号への変換を行なう光学／電気変換手段により行なう（１０）乃至（１２）のいずれかのディスクドライブ装置。
【００３１】
（１４）前記ディスクドライブ側の導電部と内部の電気回路との送受信は、各導電部に接続されている電波送信／受信手段により行なう（１０）乃至（１２）のいずれかのディスクドライブ装置。
【００３２】
（１５）前記光学／電気変換手段又は前記の電波送信／受信手段は、離隔対向位置に設けられている（１３）又は（１４）のディスクドライブ装置。
【００３３】
（１６）前記光学／電気変換手段又は前記電波送信／受信手段は、前記ディスクの回転軸の略中心位置に対向配設されている（１３）又は（１４）のディスクドライブ装置。
【００３４】
（１７）前記一つの導電部は離隔された複数個の導電部で形成されている（１０）乃至（１６）のいずれかのディスクドライブ装置。
【００３５】
（１８）前記ディスクは、情報を記憶する情報記憶部と、前記電子回路の動作を規定するプログラムが記憶されているプログラム記憶部とを有する（１０）乃至（１７）のいずれかのディスクドライブ装置。
【００３６】
（１９）前記ディスクは光ディスクである（１０）乃至（１８）のいずれかのディスクドライブ装置。
【００３７】
（２０）情報記憶領域が形成されている面と反対面に電子回路又は電子的機能部が搭載されているディスクを接触保持して回転させ、
前記接触保持時に、前記反対面に形成されている電子回路又は電子的機能部に接続されている導電部に接触する部位に導電部が形成されているディスクドライブ装置。
【００３８】
（２１）それぞれが電気的に分離された複数の導電部が形成されたディスクをディスクドライブ装置側の保持手段により接触保持し、
前記接触保持時に、前記ディスクドライブ装置側の前記ディスクとの接触面に、前記ディスクの前記複数の導電部のそれぞれに対応して電気的に接触する複数の導電部を形成し、
前記ディスクドライブ装置側と前記ディスクの前記複数の導電部間のそれぞれを介して前記ディスクドライブ装置側と前記ディスク間での信号の送受信を行なうディスクドライブシステム。
【００３９】
（２２）所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをディスクドライブ装置側の保持手段により接触保持し、前記接触保持時に、前記ディスクドライブ装置側の前記接触面に、前記ディスクの前記複数の導電部のそれぞれに対応して電気的に接触する複数の導電部を形成し、
前記ディスクドライブ装置側と前記ディスクの前記導電部間のそれぞれを介して前記ディスクドライブ装置側と前記ディスク間での信号の送受信を行なうディスクドライブシステム。
【００４０】
（２３）所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ディスクの複数の導電部と対応する部位に複数の導電部が設けられているクランパによりクランプして回転駆動させ、前記ディスクドライブ装置側と前記ディスクの前記導電部間のそれぞれを介して前記ディスクドライブ装置側と前記ディスク間での信号の送受信を行なうディスクドライブシステム。
【００４１】
（２４）所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ターンテーブル上に前記ディスクの複数の導電部と対応する部位に複数の導電部が設けられ、クランパにより前記ディスクをクランプして回転駆動させ、前記ディスクドライブ装置側と前記ディスクの前記導電部間のそれぞれを介して前記ディスクドライブ装置側と前記ディスク間での信号の送受信を行なうディスクドライブシステム。
【００４２】
（２５）所定の信号処理を実行する複数の電子回路又は何らかの電子的情報の生成、書き込み又は保存機能を有する複数の電子的機能部、及びこの電子回路又は電子的機能部に電気的に接続され、それぞれが電気的に分離された複数の導電部が形成されたディスクをターンテーブル上に載置し、前記ターンテーブル上に前記ディスクの複数の導電部と対応する部位に複数の導電部が設けられ、前記ディスクの複数の導電部と対応する部位に複数の導電部が設けられているクランパにより前記ディスクをクランプして回転駆動させ、前記ディスクドライブ装置側と前記ディスクの前記導電部間のそれぞれを介して前記ディスクドライブ装置側と前記ディスク間で信号の送受信を行なうディスクドライブシステム。
【００４３】
（２６）ディスクドライブ側の保持手段により接触保持されるディスクに、所定の信号処理を実行する複数の電子回路又は何らかの電子的情報の生成、書き込み又は保存機能を有する複数の電子的機能部が搭載され、前記複数の電子回路又は複数の電子的機能部にそれぞれ電気的に接続された複数の導電部、又は前記複数の電子回路又は複数の電子的機能部に電気的に接続された複数の導電部が前記ディスクの前記保持手段の接触保持部位に形成され、
前記ディスクドライブ側の保持手段には、前記ディスクの保持時に、前記ディスクの前記複数の導電部とそれぞれ電気的に接続される複数の導電部が設けられ、  
前記保持手段によりディスクが保持され、一体的に回転され、前記ディスク側と前記ディスクドライブ側の導電部間で信号の送受信を行なうディスクドライブシステム。
【００４４】
（２７）ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記ターンテーブルには前記クランプ時に前記ディスクの導電部と電気的に接続される複数の導電部が形成され、前記複数の電子回路又は電子的機能部に電気的に接続された導電部、又は前記複数の電子回路又は電子的機能部の導電部が前記ディスクの前記クランプ部位に形成されたディスクが一体的に回転され、前記ディスク側と前記ディスクドライブ側の導電部間で信号の送受信を行なうディスクドライブシステム。
【００４５】
（２８）ディスクドライブ側のターンテーブル上に載置されクランパによりクランプされ、所定の信号処理を実行する複数の電子回路又は何らかの電子的情報の生成、書き込み又は保存機能を有する複数の電子的機能部が搭載され、前記クランパには前記クランプ時に、前記ディスクの複数の導電部と電気的に接続される複数の導電部が形成され、前記複数の電子回路又は電子的機能部に電気的に接続された複数の導電部、又は前記複数の電子回路又は電子的機能部の導電部が前記ディスクの前記クランプ部位に形成されたディスクが一体的に回転され、前記ディスク側と前記ディスクドライブ側の導電部間で信号の送受信を行なうディスクドライブシステム。
【００４６】
（２９）情報記憶領域が形成されている面と反対面に複数の電子回路又は電子的機能部が搭載されているディスクを接触保持して回転させ、前記接触保持時に、前記反対面に形成されている前記複数の電子回路又は電子的機能部に接続されている導電部に接触する部位に前記複数の電子回路又は電子的機能部との信号送受信のための導電部が形成され、前記ディスク側と前記ディスクドライブ側の導電部間で信号の送受信を行なうディスクドライブシステム。
【００４７】
（３０）前記ディスク及びディスクドライブ装置側に形成される導電部は、略同心状且つ円環状に径方向に電気的に分離された状態で形成されている（２１）乃至（２９）のいずれかのディスクドライブシステム。
【００４８】
（３１）前記円環状の導電部は、周方向の一部が不存在である（３０）のディスクドライブシステム。
【００４９】
（３２）前記ディスクに形成されている複数の導電部は、前記ディスクに搭載されている電子回路又は／及びバッテリに接続されている（２１）乃至（３１）のいずれかのディスクドライブシステム。
【００５０】
（３３）前記ディスク回転の停止時に前記ディスクとディスクドライブ装置の導電部が接触保持される（２１）乃至（３２）のいずれかのディスクドライブシステム。
【００５１】
（３４）前記ディスクに形成されている一つの導電部は、前記バッテリに接続されている（３２）のディスクドライブシステム。
【００５２】
（３５）前記ディスク及びディスクドライブ装置に形成する導電部のそれぞれは、対応する導電部間のみが接触するような寸法、形状に設定されている（２１）乃至（３４）のいずれかのディスクドライブシステム。
【００５３】
（３６）前記ディスクの径方向に離隔形成されている複数の導電部のうち、一つの導電部の電気的接続部は、他の導電部の上部に絶縁配設されている（３０）又は（３１）のディスクドライブシステム。
【００５４】
（３７）前記ディスクに形成されている径方向に形成されている複数の導電部のうち、一つの導電部の電気的接続部は、他の導電部の導電部一部径方向不存在部に配設されている（３０）又は（３１）のディスクドライブシステム。
【００５５】
（３８）前記一つの導電部の電気的接続部の上部は絶縁膜で被覆されている（３６）又は（３７）のディスクドライブシステム。
【００５６】
（３９）前記ディスクの導電部は、前記情報記憶領域面と反対面に形成されている（２１）乃至（３８）のいずれかのディスクドライブシステム。
【００５７】
（４０）情報記憶領域が形成されている面と反対面に電子回路又は電子的機能部が搭載されているディスクを接触保持して回転させ、
前記接触保持時に、前記反対面に形成されている電子回路又は電子的機能部に接続されている導電部に接触する部位に導電部が形成されているディスクドライブシステム。
【００５８】
（４１）情報記憶領域を有するディスクドライブ側の保持手段により接触保持され、一体的に回転されるディスクであって、
所定の信号処理を実行する複数の電子回路又は何らかの電子的情報の生成、書き込み又は保存機能を有する複数の電子的機能部が搭載されるとともに、前記複数の電子回路にそれぞれ電気的に接続された複数の導電部、又は前記複数の電子回路の複数の導電部が前記保持手段の接触保持部に形成されているディスク。
【００５９】
（４２）ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記クランプされる部位に、前記複数の電子回路又は電子的機能部にそれぞれ電気的に接続された複数の導電部が形成されて成るディスク。
【００６０】
（４３）ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記ターンテーブルと接触する部位に、前記複数の電子回路にそれぞれ電気的に接続された複数の導電部が形成されて成るディスク。
【００６１】
（４４）ディスクドライブ側のターンテーブル上に載置されクランパによりクランプされて一体的に回転されるとともに、所定の信号処理を実行する複数の電子回路又は何らかの電子的情報の生成、書き込み又は保存機能を有する複数の電子的機能部が搭載されたディスクであって、
前記クランプされている部位及び前記ターンテーブルと接触する部位に、前記複数の電子回路又は電子的機能部にそれぞれ電気的に接続された複数の導電部が形成されて成るディスク。
【００６２】
（４５）前記複数の導電部は、略同心状且つ円環状に径方向に電気的に分離された状態で形成されている（４１）乃至（４４）のいずれかのディスク。
【００６３】
（４６）前記複数の導電部は、略同心状且つ円環状に径方向に電気的に分離され、周方向の一部不存在部として形成されている（４１）乃至（４４）のいずれかのディスク。
【００６４】
（４７）前記ディスクに形成されている複数の導電部の一つは、電子回路又はバッテリに接続されている（４１）乃至（４６）のいずれかのディスク。
【００６５】
（４８）前記ディスクに形成されている一つの導電部は、前記バッテリに接続されている（４７）のディスク。
【００６６】
（４９）前記ディスクの径方向に離隔形成されている複数の導電部のうち、一つの導電部の電気的接続部は、他の導電部の上部に絶縁配設されている（４５）又は（４６）のディスクドライブシステム。
【００６７】
（５０）前記ディスクに形成されている径方向に形成されている複数の導電部のうち、一つの導電部の電気的接続部は、他の導電部の導電部一部径方向不存在部に配設されている（４５）又は（４６）のディスクドライブシステム。
【００６８】
（５１）前記一つの導電部の電気的接続部の上部は絶縁膜で被覆されている（４５）又は（４６）のディスクドライブシステム。
【００６９】
（５２）前記接触保持部以外の領域に前記電子回路又は電子的機能部が形成されている（４１）乃至（５１）のいずれかのディスク。
【００７０】
（５３）前記情報記憶領域部の内側領域で前記保持接触部以外の領域に前記電子回路又は電子的機能部が形成されている（４１）乃至（５２）のいずれかのディスク。
【００７１】
（５４）前記情報記憶領域部の外側領域で前記情報記憶領域部以外の領域に前記電子回路又は電子的機能部が形成されている（４１）乃至（５３）のいずれかのディスク。
【００７２】
（５５）前記ディスクは、前記電子回路又は電子的機能部の動作を規定するプログラムが記憶されているプログラム記憶部を有する（４１）乃至（５４）のいずれかのディスクドライブ装置。
【００７３】
（５６）前記導電部の表面は凹凸状に形成されている（４１）乃至（５５）のいずれかのディスク。
【００７４】
（５７）前記導電部は弾性材を含む（４１）乃至（５６）のいずれかのディスク。
【００７５】
（５８）前記一つの導電部は離隔された複数個の導電部で形成されている（４１）乃至（５７）のいずれかのディスク。
【００７６】
（５９）前記導電部は、前記情報記憶領域面と同一の面に形成されている（４１）乃至（５８）のいずれかのディスク。
【００７７】
（６０）前記導電部は、前記情報記憶領域面と反対面に形成されている（４１）乃至（５９）のいずれかのディスク。
【００７８】
（６１）前記導電部は、前記ディスク表面に薄膜形成されている（４１）乃至（６０）のいずれかのディスク。
【００７９】
（６２）前記導電部は、透明材で形成されている（４１）乃至（６１）のいずれかのディスク。
【００８０】
（６３）前記ディスクは光ディスクである（４１）乃至（６２）のいずれかのディスク。
【発明の効果】
【００８１】
本発明によれば、ディスクとディスクドライブ装置間での確実な信号送受信を可能とすることにより、ディスクと外部装置間の電気信号の確実な送受信を可能とし、つまり、ディスクに記憶されている情報の読み出しやディスクへの書き込みは勿論、当該ディスク上に搭載されている複数の電子回路と外部装置間の信号送受信を簡単な構成で可能とすることができる。また、ディスクに搭載したバッテリへの電源の供給も確実に行うことができる。したがって、それぞれのディスク上に形成された複数の電子回路の機能に基づく固有の動作を規定することができるようになり、ディスクを用いた利用分野の拡張性が格段に改善される。その結果、著しい応用範囲が拡張されるディスクが、通常のディスク表面に薄膜ＩＣ等の電子回路と、この電子回路と電気的に接続された薄膜等の導電部を形成するだけでコスト上昇を最小限に抑えて得られる。また、かかるディスクをアクセスするためのディスクドライブも簡単な構成の追加だけで済み、コスト上昇を最小限に抑えたディスクドライブ装置が得られる。このような効果は、きわめて廉価でありながら大きな記憶容量が得られる光ディスクを用いると顕著となる。なお、かかる効果は、ディスクとディスクドライブ装置に限らず、同様に回転部材を接触保持して回転させる回転機構と、回転部材との間でも得られる。
【実施例１】
【００８２】
以下、本実施例の具体的構成例について図面を参照しながら説明する。以下では、ディスクとして光ディスクを用いた例を説明するが、ディスクドライブ装置の保持、把持手段によりクランプされ、回転駆動されるディスクであれば光学的、磁気的等、記録／書き込みの方法を問わず他の任意のディスク（例えばＣＤ、ＤＶＤ、ＭＯ、ＦＤ等）について適用できる。また、更に広い概念で、ディスクとディスクドライブ装置に限らず、回転体を接触して保持（把持）部材により保持（把持）して回転させる回転駆動部における回転体と回転駆動部についても同様に適用可能であるが、以下の説明ではディスク及びディスクドライブ装置に限定する。
【００８３】
図１〜図４は本発明の実施例における光ディスク１の構成を模式的に示す平面図である。また、図５〜図８は、本発明によるディスクドライブ装置の実施例の構成を説明するために模式化された要部断面図である。
【００８４】
さて、図１において、光ディスク１００の表面の外周部にはイメージ、音楽、画像等のデータが記憶されているＲＡＭ領域（情報記憶部）や、所定のプログラムが格納されているプログラム記憶部としての例えばＲＯＭ領域等の情報記憶領域が形成され、また、例えば、ＲＯＭ領域に格納されているプログラムに基づくような信号処理を実行する電子回路１０が任意の部位に形成されている。本例では、ディスクドライブ装置の保持、把持、クランプ（チャッキング）機構により接触保持される部位に相当する位置である光ディスクの内周部（通常、透明部であるが半透明部、また不透明部とされることもある）ＩＮに導電部２０が形成され、内周部ＯＵＴの外側に電子回路１０が設けられ、電子回路１０と導電部２０は接続部３０を介して電気的に接続されている。
【００８５】
電子回路１０は、任意の部位に設けることができるが、ディスクドライブ装置２００のクランプ（チャッキング）機構により比較的高い密着力で光ディスクが保持されるので、その圧力による影響を避ける意味で上記クランプされる部位ではない内周部を外れた部位が好ましい。しかし、クランプ圧力の問題がないような構成の場合（例えば、電子回路等をディスク内に埋め込ませたりする場合）には、内周部ＩＮに形成しても良く、導電部２０そのものを電子回路１０と同一部位に、例えば、電子回路１０が導電部２０を含むように設定しても良いことは勿論である。
【００８６】
例えば、図２に示すように、光ディスク１００の内周部ＩＮのクランプ部（保持部、把持部：斜線部）ＣＬＡＭＰには導電部２０を、クランプ部ＣＬＡＭＰよりも更に内周部の、クランパ（保持、把持）が直接接触せず、クランプ圧力を受けない部位に電子回路１０を形成することもできる。
【００８７】
また、図３に示すように、光ディスク１００の内周部ＩＮの内側のクランプ部（保持、把持部：斜線部）ＣＬＡＭＰには導電部２０を、外周部ＯＵＴと内周部ＩＮ間のクランプ部（ＣＬＡＭＰ）以外の部位に電子回路１０を形成することもできる。
【００８８】
更には、図４に示すように、光ディスク１００の内周部ＩＮのクランプ部（保持、把持部：斜線部）ＣＬＡＭＰには導電部２０を、外周部ＯＵＴの更に外周部の、通常、記憶領域とされない部位に電子回路１０を形成することもできる。これら電子回路１０と導電部２０は電気的な接続部３０により接続されている。電子回路１０は、勿論、記憶領域内に形成しても良い。
【００８９】
電子回路１０は、例えば、光ディスク面のＲＯＭ領域に記憶されているプログラムに基づく動作処理を実行する回路であり、処理結果は以下に説明するような形態でディスクドライブ装置２００側に送信される。また、逆にディスクドライブ装置２００側からの信号を受信する。
【００９０】
電子回路１０の上記所定の処理は、例えば、記憶部に記憶されている情報が暗号化されている場合に、その暗号化されている情報を読み出して、ＲＯＭ領域に格納されているプログラムに基づいて解読するような処理がある。また、暗号化して書き込むときには、同様に、記憶部に記憶されている暗号化プログラムに基づいて暗号化するようにすることもできる。
【００９１】
ここで、暗号化プログラムや解読プログラムを光ディスク毎に規定しておけば、各光ディスク毎にクローズされた信号処理が可能となり、クローズされた固有の処理に基づく処理でない限りは当該ディスクへのアクセスを困難として高いセキュリティを確保することができる。更に、暗号解読のためのキーを個別に外部から設定するようにすれば、より高いセキュリティが確保できる。また、ＲＯＭ領域に記憶されているプログラムに従った処理を電子回路で実行したり、外部処理回路で処理された処理結果を記憶部に記憶するようにすることもできる。こうすることにより、処理結果が、外部処理装置に残ることなく、光ディスクの記憶部としてのＲＡＭ領域のみに保存、記憶され、しかも保存、記憶処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。更に、光ディスクに形成されている電子回路等と外部回路との信号送受信により、これまで想定されていなかった利用分野の著しい拡張が図られる。
【００９２】
さて、光ディスク１００の内周部には薄膜の導電部２０が形成されている。この導電部２０は、電子回路１０に接続部３０（同様に光ディスク１００表面に薄膜形成されている）を介して電気的に接続されていても良いし、独立に情報を有する部位とすることができる。例えば、この導電部２０に光ディスクの何らかの情報（ディスク固有情報等）を持たせておけば、ディスクドライブ装置から直接当該情報を取得することができる。電子回路の代わりに何らかの電子的情報の生成、書き込み又は保存機能を有する電子的機能部とすることができるし、導電部自体が何らかの情報が生成するような電子的機能部や電子回路を含んでいても良い。逆に、電子的機能部や電子回路が導電部を含むようにしても良い。電子的機能部又は電子回路はなくても良い。導電部は、ディスクの記憶領域形成面と同一面に形成しても良いし、反対面に形成しても良い。反対面に形成する場合には、記憶領域に対する配慮が不要であるため有利である。また、上記電子回路や電子的機能部は併設しても良いことは勿論である。
【００９３】
光ディスク１００は、ディスクドライブ装置２００のターンテーブル２１０上に載置され、クランパ２６０によりクランプされ、スピンドルモータ６０により回転駆動される。通常、光ディスクの情報が記憶されている記憶面は、光ディスク１００の内周部を除いた外周部ＯＵＴに形成されており、内周部ＩＮは透明部、半透明又は不透明部で、クランプのための部位としてのみ用いられている。本実施例では、この内周部ＩＮに導電部２０が形成されている。
【００９４】
図５を参照して本発明のディスクドライブ装置２００の実施例を説明すると、ターンテーブル２１０には、スピンドルモータ６０の回転軸２３０に固定され、中央部に光ディスク１００の中央部に開けられた中央開口穴４０が嵌め込まれる突出部２４０が形成されている。光ディスク１００は、中央開口穴４０がターンテーブル２１０の突出部２４０に嵌め込まれ、光ディスク１００の中心位置が決められてターンテーブル２１０に載置されることになる。この突出部２４０の頂部には、通常、永久磁石２５０が設置されている。ターンテーブル２１０の表面の、光ディスク１００の導電部２０と対向する位置に導電部２１１が形成されている。なお、図５は、理解を容易にするため簡略化しており、例えば、導電部２０や２１１の厚みは光ディスク１００を含め他の構成要素と比較して大きく描かれているが、これら導電部２０や２１１は、薄膜であり、実際には殆ど厚みは意識しなくて良い。
【００９５】
一方、光ディスク１００の上方にはクランパ２６０が配設される。クランパ２６０は、ターンテーブル２１０の突出部２４０の頂部に設けられた永久磁石２５０との対向部に、永久磁石２５０による磁力を受けて吸引される磁性部（図示せず）を有する。光ディスク１００をターンテーブル２１０上に載置した後、クランパ２６０を近づけると永久磁石２５０と磁性材との磁力によりクランパ２６０が光ディスク１００を挟んでターンテーブル２１０に密着される。こうして光ディスク１００は、同心度が維持された状態で保持、クランピング（チャッキング）され、スピンドルモータ６０の回転軸２３０の回転とともに回転駆動されることになる。ここで、本実施例では、クランパ２６０がターンテーブル２１０と一体的に回転する例を示しているが、クランパ２６０内に空隙を設け、この空隙内で永久磁石２５０と磁力密着され一体的に自由回転するような磁性部材を設けるようにすることもできる。クランピングとは要するに回転体としてのディスクを回転させるために接触保持するためのすべての手段を意味する。
【００９６】
尚、図示では、スピンドルモータ６０を独立したモータとしているが、これは模式的に図示したからであり、通常はターンテーブル２１０に設けた磁石と、その近傍に設けたコイル等の磁気作用により、ターンテーブル２１０を回転軸２３０回りに回転させるような、ステータとロータを含む回転機構のような薄型のフラットモータ構成を用いることが多い。この場合には、信号伝達経路は、より簡素化される。かかる構成の具体例については後述する。
【００９７】
このとき、光ディスク１００の導電部２０とディスクドライブ装置２００側のターンテーブル２１０の導電部２１１とは磁力により密着されており、確実な電気的接続が維持される。したがって、光ディスク１００側と、この光ディスク１００とは独立したディスクドライブ装置２００側のターンテーブル２１０（導電部２１１）とは電気的に接続されることになる。もちろん、ディスクドライブ装置２００側の光ディスク１００の導電部２０との接続は、ターンテーブル２１０に限らず光ディスク１００と一体的に回転し、電気的に接触する部位であればどこでも良く、例えば、クランパ２６０の、光ディスク１００の導電部２０に対向する位置に相当する部位に導電部を形成することもできる。
【００９８】
以上のような構成により、光ディスク１００上の電子回路１０又は電子機能部と、ディスクドライブ装置２００側の内部電気回路との間は、上記２つの導電部２０と２１１を介して電気的に接続されるようになる。
【００９９】
ディスクドライブ装置２００は、光ディスク１００をターンテーブル２１０上に載置してクランパ２６０によりクランプし、回転駆動させて光ディスクに記憶されている情報を読み込む。逆に、情報を書き込むこともできる。ここで、ディスクドライブ装置においては、上述の如く、光ディスク１００の上記導電部２０に対応する部位（接触する部位）に導電部２１１が設けられているので、これら導電部２０−２１１間で信号の送受信が行なわれる。このとき、光ディスク１００と、ディスクドライブ装置２００側のターンテーブル２１０やクランパ２６０とは一体回転しているため両導電部間の信号伝達は電気的に直接行なわれる。
【０１００】
ディスクドライブ装置２００側の導電部２１１は、内部の電気回路（信号処理回路）８０に接続される。この導電部２１１と内部電気回路８０との間の接続は、任意の接続形態が可能である。例えば、ターンテーブル２１０を光ディスク１００とともに回転させるスピンドルモータ６０の回転軸２３０、この回転軸２３０のような回転体とディスクドライブ装置２００の本体のような静止体との間で信号を送受信するための回転体／静止体信号送受信インタフェース７０を介して内部電気回路８０に接続される。
【０１０１】
上記回転軸２３０のような回転体とディスクドライブ装置２００側の静止体の内部電気回路８０との信号送受信のための回転体／静止体信号送受信インタフェース７０としては、周知又は公知の種々手段を用いることができる。例えば、スリップリングによる信号送受信方式を採用することができる。
【０１０２】
本実施例において、光ディスク１００側の導電部２０―ディスクドライブ装置２００側の導電部２１１―回転軸２３０―回転体／静止体信号送受信インタフェース７０のルートの電気接続構成としては、周知の構成を採用できることは容易に理解できる。例えば、導電部２１１をターンテーブル２１０の絶縁部上に設け、導電部２１１から回転体／静止体信号送受信インタフェース７０までのルートは専用の配線形態を形成すれば良いし、他の任意の接続形態を用いることができる（以下の実施例の説明でも同様である）。
【０１０３】
また、回転体／静止体信号送受信インタフェース７０として、当該ディスクドライブ装置２００の回転体（ターンテーブル２１０）側の導電部２１１と内部電気回路８０との信号送受信を無線により、又は光学的に行なわせる手段を備えることにより、信号送受信を可能とすることもできる。この場合、ディスクドライブ装置２側では若干のコスト増となるが、光ディスク個々に信号送受信手段を設ける必要がなく、光ディスクの低コストというメリットを十分に維持できる。
【０１０４】
光学的手段により信号送受信の際には、スピンドルモータ６０の軸心に沿って光学路を設け、その軸端から信号光を発し（受け）、この軸端と対向させて信号光を受光（発光）する手段を設ければ、スピンドルモータの回転軸の回転に起因する信号光のブレは少なくて済む。また、無線手段により信号送受信を行なう場合も同様である。
【０１０５】
ここで、クランプ時に、光ディスク１００の導電部２０と電気的に接触するディスクドライブ装置２００側の導電部２１１は、光ディスク１００を挟持するターンテーブル２１０とクランパ２６０両面に形成しておくことができる。こうすることにより、光ディスク１００によって導電部の形成面が異なる場合や、光ディスク１００の両面に導電部が形成されていても対応できるようになる。これは以下の実施例の説明においても同様である。
【０１０６】
上記光ディスク表面に形成される導電部２０は、単なる導電膜であればよいから蒸着により膜形成することは容易にできる。導電膜を表面に貼り付けることもできるし、蒸着以外の他の任意の方法で形成することもできる。例えば、光ディスクの両面に導電部を形成する構成としては、光ディスク面のクランプ部に貫通して金属等の導電体を埋め込み、各表面から若干突出させるようにすることもできる。
【０１０７】
前述の如く、光ディスク１００の導体部２０に接続された電子回路１０は、光ディスク上のどこに形成しても良いが、光ディスクのバランスを考えると、光ディスクのできるだけ中心に近い位置が好ましく、導電部２０そのものを電子回路とすることも可能である。電子回路１０は、薄膜化した半導体ＩＣチップとしても良いし、ディスク製造過程で、ディスク内部に形成することもできる。
【０１０８】
導電部２０が形成される光ディスク１００の内周部は、通常、クランプのためだけの部位として使われる。この内周部に形成される導電部（電極）２０は透明電極を用いれば、透明部の機能を維持できる。
【０１０９】
図６は、本発明による光ディスクドライブ装置の他実施例の構成を説明するための模式化された要部の概略断面図である。
【０１１０】
図５に示すディスクドライブ装置２００では、ターンテーブル２１０を回転させるスピンドルモータ６０は独立のモータとして表示され、その回転軸２３０を回転させることによりターンテーブル２１０を回転させているが、スピンドルモータ２６０は、要するにターンテーブル２１０を回転させるための手段を総称しており、ステータとロータを備える構成とすることができ、例えば、ディスク回転用として現在広く用いられているフラット型の回転駆動機構とすることができる。そのような例に基づく実施例が図６である。
【０１１１】
図６におけるスピンドルモータとしての回転駆動機構は、ターンテーブル２１０と回転軸２３０を介して一体的に回転するディスク状の回転駆動部２２０の下面外周部に周方向に沿って複数の磁極２２１を配設し、一方、筐体底面４００側に固定されている基板３００の、磁極２２１との対向面に磁極３１１が設けられ、基板３００上に形成されている制御回路により磁極３１１の磁極を変更制御し、磁極２２１と磁極３１１の極性関係に基づいて回転駆動部２２０とターンテーブル２１０を周方向に回転させる。
【０１１２】
図６において、図５と同様に、ターンテーブル２１０の中央部に光ディスク１００の中央開口穴４０が嵌め込まれる突出部２４０が形成され、この突出部２４０に光ディスク１００の中央開口穴４０が嵌め込まれてターンテーブル２１０上に載置される。突出部２４０の頂部には永久磁石２５０が設けられている。ターンテーブル２１０の表面所定部位には、光ディスク１００の導電部２０と対向する導電部２１１が形成されている。光ディスク１００の上方には、磁性部２７０を有するクランパ２６０が配設され、光ディスク１００をターンテーブル２１０上に載置した後、クランパ２６０を近づけると永久磁石２５０の磁力によりクランパ２６０が光ディスク１００を挟んでターンテーブル２１０に密着される。こうして光ディスク１００は、同心度が維持されてクランピング（チャッキング）され、スピンドルモータの回転軸２３０の回転とともに回転駆動され、光ディスク１００の導電部２０とディスクドライブ装置２００側のターンテーブル２１０の導電部２１１とは磁力により密着され、電気的に接続される。
【０１１３】
ディスクドライブ装置２００側の導電部２１１から図５に示す内部電気回路（信号処理回路）８０への電気接続構成は、前述の如く任意の構成とすることができる。本実施例では、ターンテーブル２１０下方の回転駆動部２２０の下方に設けられ、基板３００を貫通する回転軸（延出部）２３０の回転中心部（回転中心軸）下端に電気的又は光学的な接続部３３０を設け、一方、基板３００下方の筐体底面４００の、電気的又は光学的接続部３３０の対向位置に同様な電気的又は光学的な接続部４１０が設けられている。回転軸２３０は、基板３００内の軸受部３２０を介して自由回転可能とされている。
【０１１４】
電気的又は光学的接続部３３０と４１０を電気的に接触するようにすれば電気的接続構成が得られ、光学的に結合するようにすれば光学的接続構成が得られる。電気的接続構成には、直接接触による接続と、電波による信号送受信に基づく接続がある。無線信号送受信を行なう場合には、電気的又は光学的接続部３３０と接続部４１０にそれぞれ無線回路やアンテナを設けておけば良いし、光学的接続構成を得る場合には、電気的又は光学的接続部３３０と電気的又は光学的接続部４１０に、それぞれ光／電気変換部を設けておけば良く、本実施例のように、これらを対向設置することにより効率的な信号送受信が可能となる。
【０１１５】
ディスクドライブ装置２００側のターンテーブル２１０上の導電部２１１から電気的又は光学的接続部３３０までの電気配線は、太実線で示す専用配線２で行なうことができ、電気的又は光学的接続部４１０から内部電気回路８０への電気配線が施される。
【０１１６】
図６に示す実施例では、ディスクドライブ装置２００側の、光ディスク１００の導電部２０と接続される導電部２１１はターンテーブル２１０側に設けられているが、クランパ２６０側に設けることもできる。この場合には、光ディスク１００の上表面に電子回路１０と電気的に接続された導電部を設け、この導電部と対向して接触するクランパ２６０の対応部位に導電部を設けたり、永久磁石２５０の適宜部位と、この永久磁石２５０と密着される磁性部２７０に対応導電部を設けることができる。クランパ２６０側の導電部は、筐体上面（図示せず）に設けた前述の如き電気的又は光学的な接続部が設けられる。
【０１１７】
図７は、本発明による光ディスクドライブ装置の更に他の実施例の構成を説明するための模式化された要部の概略断面図である。
【０１１８】
本実施例では、図５や図６に示すディスクドライブ装置２００におけるクランパ２６０として、ディスク１００を把持（保持）するためのクランプピン２８０を用いている。クランプピン２８０がターンテーブル２１０の突出部２４０の周方向に複数（例えば、３個）設けられている。クランプピン２８０は、突出部２４０の側面周方向に設けられ、バネ２８０Ａにより外径方向にバイアスがかかっており、このスプリング力に抗して光ディスクを上から押入れ固定する。すなわち、ディスク１００の中央開口穴４０を上方向から突出部２４０にクランプピン２８０に抗して押し込んでディスク１００をターンテーブル２１０に固定させる。このような構成を有するディスクドライブ装置２００は、図５や図６に比してクランパ２６０が不要であるため構成が簡素化され、且つ薄型化されるため、低コストで且つ小型化に適し、ノートパソコンのような小型な電子機器に適用されることが多い。図７の他の構成は、図５や図６の構成と同様であるので説明は省略する。本実施例におけるターンテーブル２１０の導電部２１１と基板３００側との信号の送受信（授受）は、電気的又は光学的接続部３３０と４１０と同様な接続部２９０と３４０を介して行うことができる。
【０１１９】
図８は本発明の更に他の実施例を示し、ＭＯディスクやＦＤディスクに用いられるディスクドライブ装置の例を示す。本実施例では、ターンテーブル２１の中央部に凹部２１２が設けられ、この凹部２１２にＭＯディスクやＦＤディスク１００Ａの凸部１０１Ｃが嵌め込まれ、更にターンテーブル２１０側の中心位置に設けられた凸部２１４がＭＯディスクやＦＤディスク１００Ａの中央の凹部１０１Ｂに挿入されることにより両者の位置決めが為される。
【０１２０】
ターンテーブル２１０の凹部２１２には永久磁石２５０が設けられ、一方、ＭＯディスクやＦＤディスク１００Ａの凸部１０１Ｃには磁性材１０１Ａが設けられ、両者は磁力により密着固定される。こうしてターンテーブル２１０上に固定されたＭＯディスクやＦＤディスク１００Ａが回転駆動されるようになる。ここで、ターンテーブル２１０の凹部２１２の永久磁石２５０の上層に導電部２１１が、ＭＯディスクやＦＤディスク１００Ａの凸部１０１Ｃの磁性材１０１Ａの上層部に導電部２０がそれぞれ設けられ、両者の密着状態では、導電部２０と２１１との電気的接続関係が確立される。ターンテーブル２１０の回転機構や導電部２１１からの電気的配線部等の他の構成は前述実施例と同様であるから、図示と説明は省略する。
【０１２１】
ところで、前述のように、ディスク上に搭載される電子回路は一つに限らず、複数個搭載する場合がある。また、当該電子回路に外部から電源を供給する場合もある。このような場合には、対応して外部（ディスクドライブ装置側）との信号（電力等すべて）の伝送路を形成しなければならない。
【０１２２】
本実施例では、かかる要望を満足させるため、ディスク上に電気的に分離された複数の導電部を形成しておき、ディスクの接触保持時に、ディスクドライブ装置側の上記クランパ、ターンテーブル等の上記複数の導電部のそれぞれに対応した部位に同様に電気的に分離された導電部を形成して、これら導電部を介してディスクとディスクドライブ装置側を電気的に接続する。
【０１２３】
ディスク上に形成する導電部は、図１〜図５に示すように、任意の寸法、形状で良いが、ディスクドライブ装置側のディスク側との接触部との位置合わせを考慮して、確実な電気的接触をえるため以下に説明するような構成が望ましい。
【０１２４】
ディスク上に形成する導電部としては、周方向に、同心状で円環状または円弧状とした複数の導電部を径方向に電気的に分離した状態で形成することが好ましい。そして、ディスクドライブ装置側のディスクとの接触部（クランパやターンテーブル等）には、対応する位置に周方向に、同心状で円環状または円弧状とした導電部を径方向に電気的に分離した状態で形成することが望ましい。こうすることにより、径方向位置だけを対応付けすれば確実な電気的な接触が得られることになる。
【０１２５】
すなわち、ディスクドライブ装置側のディスクとの接触部（クランパやターンテーブル等）の導電部は、ディスクの導電部と容易に且つ確実に接触させるため円環状または円弧状とすることが望ましい。また、その円環状導電部の幅や周方向長さを、ディスクの導電部の幅や周方向長さよりも広くすることも好ましい。逆に、ディスクドライブ装置側の導電部を図１〜図４に示すような周方向に限られた長さとし、ディスク側の対応する部位に形成する導電部を円環状または円弧状としても良い。
【０１２６】
図９は、ディスク上に形成する導電部の例を示し、２個の電子回路１０、１１が搭載されている場合を示す。各電子回路１０、１１とそれぞれ電気的な接続線部３０、３１を介して接続されている導電部２０、２１が径方向に異なる位置に形成されている。このとき、ディスクドライブ装置側のディスクとの接触部（クランパやターンテーブル等）に形成する導電部が、ディスク上の径方向に異なる部位に形成されている導電部と接触しないように（２つ以上のディスク上の導電部と接触しないように）、ディスクドライブ装置側のディスクとの接触部（クランパやターンテーブル等）に形成する導電部の径方向位置と幅を設定しておく。クランプ領域は、図１乃至図４と同様であるため、特に図示しない。
【０１２７】
図１０は、電子回路１０を動作させるのに必要な電源を導電部２１と接続線部３１を介して電子回路１０に供給するための構成例を示している。本構成例では、ディスク回転動作中であっても導電部２１と接続線部３１を介してディスク上の電子回路１０には常時電源が供給される。電源はノイズ影響を問題にしないで済むことから、ディスクドライブ装置側または外部からの電源は、回転部分との接触があっても問題なく、電源供給は比較的簡単に行える。
【０１２８】
図１１に示す例は、ディスク上に形成する複数（本実施例では２個）の導電部２０、２１を所定幅の円環状または円弧状とし、それぞれを径方向に離隔して配設したものである。この場合、ディスクドライブ装置側のディスクとの接触部（クランパやターンテーブル等）に形成する導電部の幅と位置を、ディスク側の対応する導電部のみと接触するように構成する。本実施例の場合、内周側の導電部２１は、外周側の導電部２０をまたいで対応する電子回路１１との接続用の接続部３１の配線が必要である。図１１に示す例では、またがれる（外周部の）導電部２０の上に絶縁膜５０を形成し、その絶縁膜５０の上を通って当該配線（接続線部）３１を形成し、その上に更に絶縁膜５１を形成することができる。
【０１２９】
また、円環状の導電部は必ずしも全円周方向に接続されている必要はない。そこで、外周部の導電部の途中を切り欠いた状態（導電部が存在しない状態）とし、この部分に内周部の導電部からの接続部を配設すれば、上記絶縁膜を形成しておく必要はなくなる。図１２はかかる実施例を示し、ディスク１００上に３個の電子回路１０〜１２が搭載され、内側から外側に向かって対応する３つの円環状の導電部２０〜２２が形成され、最外側の導電部２０には導電部が存在しない切り欠き部ＸとＹが形成され、真ん中の導電部２１には切り欠き部Ｚが形成されている。導電部２０は、接続線部３０を介して電子回路１０と接続されている。
【０１３０】
導電部２０２ら延びている接続線部３２は切り欠き部ＺとＹを通って電子回路１２に接続され、導電部２１から延びている接続線部３１は切り欠き部Ｘを通って電子回路１１に接続される。ディスク１００の上部のクランパの対応する導電部以外が接触することを防止するために、接続線部３１と３２の上部には絶縁膜５２と５３が形成されている。
【０１３１】
上述説明及び後述の説明でも同様であるが、ディスクドライブ装置側のディスクとの接触部（クランパやターンテーブル等）に形成する導電部の幅と位置は、ディスクの径方向に形成した対応する円環状の導電部以外の導電部と接触しないように構成される。そのため、ディスクドライブ装置側のディスクとの３個の接触部は、それぞれα、β、γの径方向範囲で位置決めされる。
【０１３２】
図１３は、円環状の下導電部２０を幅広とし、この下導電部２０の表面の内周側に絶縁膜（図示せず）を形成し、この絶縁膜上に上導電部２１を形成し、上導電部２１からの接続線部３１は、その下部に形成した絶縁膜５４上に形成して電子回路１と接続する例を示す。ここでも接続線路３1の上部には絶縁膜５５が形成されている。電子回路１０と導電部２０とは接続部３０を介して行われる。
【０１３３】
ターンテーブルの回転の停止時にディスクの導電部とディスクドライブ装置側の導電部を接触保持させるようにしても良く、この場合、回転停止時にディスクに形成したバッテリを充電させることができるし、電子回路との信号の送受信（授受）も可能である。すなわち、図５に示すような離隔配設された回転体／静止体信号送受信インタフェース７０（後述の実施例では電気的又は光学的接続部３３０、４１０）による電源、電力の供給ではなく、バッタリの充電時には、ディスクは回転させず、外部からの電源をディスクドライブ装置の導電部に電気的に直接供給させたり、電子回路との信号送受信可能とするように構成することができる。
【０１３４】
以上のディスクドライブ装置の実施例では、ディスクドライブ装置側のディスクとの接触部（クランパやターンテーブル等）の導電部は、ディスクの導電部と容易に且つ確実に接触させるため円環状とすることが望ましい。また、その円環状導電部の幅や周方向長さを、ディスクの導電部の幅や周方向長さよりも広くすることも好ましい。
【０１３５】
さて、上述の如く、ディスク上に複数個の電子回路等が搭載される場合には、各電子回路とそれぞれ電気的に接続するためのディスクドライブ装置側のディスクとの接触部（クランパやターンテーブル等）導電部は、それぞれに対応して複数個形成される。例えば、図６〜１０に示す実施例に対応する具体的実施例を以下説明する。
【０１３６】
図１４は、説明を簡単にするため図５の実施例をベースにしたディスクドライブ装置のターンテーブルとクランパ近傍の簡略化した概観断面図を示す。勿論、図６〜図８の構成についても同様に適用できる。
【０１３７】
図１４は、図９に示す実施例（ディスク上に２個の電子回路１０、１１が搭載されている場合）において、ディスクの径方向で異なる位置に形成されている導電部２０、２１との対向位置に、ディスクドライブ装置２００側のディスク１００との接触部となるターンテーブル２１０上の径方向に異なる部位に導電部２１１、２１２が形成される。このとき、導電部２１２は導電部２１とのみ接触し、他の導電部２０とは接触しないような構成とされる。導電部２１２から内部電気回路８０への信号伝達経路は、図５や図６と同様である。すなわち、導電部２１２からの配線３を経て電気的又は光学的接続部３３０と同様な電気的又は光学的接続部３３０Ａ（図示せず）、更にはこの電気的又は光学的接続部３３０Ａと対向する電気的又は光学的接続部４１０と同様な電気的又は光学的接続部４１０Ａ（図示せず）の経路で内部電気回路８０と接続される。
【０１３８】
図１０に示すような電子回路に電源を供給する場合も、図１４のような構成を採用でき、ディスクドライブ装置側の導電部２１２とディスクの導電部２１を経て供給される電源が電子回路１０に供給される。また、ディスクに充電可能なバッテリが設けられている場合には、導電部２１２と導電部２１を経て当該バッテリに電源を供給するようにすることもできる。かかる構成によりディスク回転動作中であっても常時電源が供給される。また、ディスクが回転しておらず停止している場合でも、強制的に両導電部を接触させるように構成すれば、電源供給は可能である。こうすることにより、ディスク回転中止時にバッテリ充電が可能となる。
【０１３９】
また、ディスク上に形成する導電部を所定幅の円環状とし、それぞれを径方向に離隔して配設した図９〜図１３示す実施例に対応するディスクドライブ装置では、ディスクドライブ装置のターンテーブル２１０上に、ディスク側の対応するそれぞれの導電部のみと接触するように、幅、位置、形状等を定めた複数の導電部を形成すれば良い。
【０１４０】
上述の実施例において、接続部はディスクドライブ側の各導電部に対応して設けられているが、接続部は１つとし、複数の導電部に対して流れる信号を多重化して１つの接続部を介して送受信（授受）を行うようにして構成を簡素化することができる。
【０１４１】
以上説明したように、従来は、レーザ光照射に応答する反射光を受光して光ディスク側の情報を読み取るだけであるが、本発明では、光ディスク表面に電子回路を構成し、この電子回路と接続され、又は何らかの信号情報を生成するような電子機能部としての導電部を設け、この光ディスク側の導電部と上記ディスクドライブ装置側の導電部を介して電気的情報の送受信が可能となるから、前述の如く著しい利用分野の拡張が容易に行なえる。
【０１４２】
なお、ディスクドライブ装置により光ディスクの電子回路から取得した情報を外部のコンピュータ等の処理装置で処理し、また当該処理装置で処理された信号を光ディスクに書き込むように構成することもできる。
【０１４３】
本発明によるディスクドライブ装置は、ターンテーブルやクランパを必須要件とするものではなく、要するに、ディスクを把持又は保持（クランプ）してディスクを回転させるディスクドライブ装置であれば何でも良い。
【０１４４】
また、導電部間の確実な電気的接触、接続状態を得るため、導電部を複数個離隔配設することもできるし、導電部を凹凸形成したり、導電部そのものを弾性材で形成したり、導電部の下層に弾性材を配設することもできる。
【０１４５】
ディスク側とディスクドライブ装置側の導電部は、ディスクの接触保持時に互いに確実に接触することができるような位置、形状、大きさ等を定まれば良く、そのためには、上述実施例に限定されない任意の構成を用いることができることは明らかである。
【０１４６】
以上、本発明によるディスクドライブ装置並びにディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。すなわち、本発明は上述実施例で説明したディスクドライブ装置とディスクに限定するものではなく、回転材を接触して保持（把持）部材により保持（把持）して回転させる回転機構における回転材と回転機構についても同様に適用可能である。その具体的な構成と効果は、重複するので省略するが、以下のような基本的構成を有する。また、ディスクと、該ディスクと一体的に回転するディスクドライブ側の保持側に離隔通信手段（光学的又は電波的手段）を設ければ、それぞれは高速回転していても、相対的速度差はゼロであるから両者の通信は容易に可能となる。
【０１４７】
（１）被回転体に、電子回路または電子機能部が搭載され、前記電子回路または電子機能部と電気的に接続された導電部が形成され、
前記被回転体を接触保持して回転駆動する回転駆動部における、前記被回転体の接触保持部には前記被回転体に形成された導電部と接触する導電部が形成され、
互いに接触する前記被回転体と前記回転駆動部の導電部を介して前記被回転体と前記回転駆動部間の信号の送受信を行う回転体との信号送受信装置。
【０１４８】
（２）被回転体に、複数の電子回路または電子機能部が搭載され、前記複数の電子回路または電子機能部のそれぞれと電気的に接続された導電部が形成され、
前記被回転体を接触保持して回転駆動する回転駆動部における、前記被回転体の接触保持部には前記被回転体に形成された複数の導電部とそれぞれ接触する導電部が形成され、
互いに接触する前記被回転体と前記回転駆動部の導電部を介して前記被回転体と前記回転駆動部間の信号の送受信を行う回転体との信号送受信装置。
【図面の簡単な説明】
【０１４９】
【図１】本発明の一実施例における光ディスクの構成を模式的に示す平面図である。
【図２】本発明の他の実施例における光ディスクの構成を模式的に示す平面図である。
【図３】本発明の他の実施例における光ディスクの構成を模式的に示す平面図である。
【図４】本発明の他の実施例における光ディスクの構成を模式的に示す平面図である。
【図５】本発明による光ディスクドライブ装置の一実施例の構成を説明するための模式化された概略断面図である。
【図６】本発明による光ディスクドライブ装置の他の実施例の構成を説明するための模式化された要部の概略断面図である。
【図７】本発明による光ディスクドライブ装置の更に他の実施例の構成を説明するための模式化された要部の概略断面図である。
【図８】本発明による光ディスクドライブ装置の他の実施例の構成を説明するための模式化された要部の概略断面図である。
【図９】本発明の更に他の実施例における光ディスクの構成を模式的に示す平面図である。
【図１０】本発明の他の実施例における光ディスクの構成を模式的に示す平面図である。
【図１１】本発明の他の実施例における光ディスクの構成を模式的に示す平面図である。
【図１２】本発明の他の実施例における光ディスクの構成を模式的に示す平面図である。
【図１３】本発明の他の実施例における光ディスクの構成を模式的に示す平面図である。
【図１４】本発明による光ディスクドライブ装置の更に他の実施例の構成を説明するためのターンテーブルとクランパ近傍の模式化された要部の概略断面図である。
【符号の説明】
【０１５０】
１００              光ディスク
１００Ａ            ＭＯ又はＦＤ
２、３              配線
１０、１１、１２    電子回路
２０、２１、２２、２１１、２１２  導電部
３０、３１、３２    電気的接続部
４０                中央開口穴
５０〜５５          絶縁膜
６０                スピンドルモータ
７０                回転体／静止体信号送受信インタフェース
８０                内部電気回路
９０                外部処理回路
１０１Ａ            磁性材
１０１Ｂ            凹部
１０１Ｃ            凸部
２００              ディスクドライブ装置
２１０              ターンテーブル
２４０              突出部
２２０              回転駆動部
２２１              磁極
２１２              凹部
２１４              凸部
２３０              回転軸
２５０              永久磁石
２６０              クランパ
２７０              磁性部
２８０              クランプピン
２８０Ａ            バネ
２９０、３３０、３４０、４１０    電気的又は光学的接続部
３００              基板
３１１              磁極
３２０              軸受部
４００              筐体底面
【図１】
2005222588.tif 000003
【図２】
2005222588.tif 000004
【図３】
2005222588.tif 000005
【図４】
2005222588.tif 000006
【図５】
2005222588.tif 000007
【図６】
2005222588.tif 000008
【図７】
2005222588.tif 000009
【図８】
2005222588.tif 000010
【図９】
2005222588.tif 000011
【図１０】
2005222588.tif 000012
【図１１】
2005222588.tif 000013
【図１２】
2005222588.tif 000014
【図１３】
2005222588.tif 000015
【図１４】
2005222588.tif 000016